(57)【要約】【課題】間単に書籍に対して位置合わせされることができ、亀裂の発生を防止することができるしおりを提供する。【解決手段】しおり１１は一葉の薄板本体１２を備える。薄板本体１２は、一平面内で広がって、当該一平面内で第１直線１７に接する短辺１６、および、当該一平面内で当該第１直線１７に直交する第２直線１３に接する長辺１５ａを規定する。補助薄板２１は、薄板本体１２の短辺１６に連続し、第２直線１３から外側に向かって第１直線１７に沿って延び、第１直線１７回りで、一平面に沿って広がる面内姿勢から、一平面に直交する起立姿勢まで屈折する。長辺１５ａには薄板本体１２から補助薄板２１を分断する切り込み２３が形成される。【選択図】図１
2015100932.tif 000002
【特許請求の範囲】
【請求項１】
一平面内で広がって、当該一平面内で第１直線に接する一短辺、および、当該一平面内で当該第１直線に直交する第２直線に接する一長辺を規定する一葉の薄板本体と、
前記薄板本体の前記一短辺に連続し、前記第２直線から外側に向かって前記第１直線に沿って延び、前記第１直線回りで、前記一平面に沿って広がる面内姿勢から、前記一平面に直交する起立姿勢まで屈折する補助薄板とを備え、
前記一長辺には前記薄板本体から前記補助薄板を分断する切り込みが形成される
ことを特徴とするしおり。
【請求項２】
一平面内で広がって、当該一平面内で第１直線に接する一短辺、および、当該一平面内で当該第１直線に直交する第２直線に接する一長辺を規定する一葉の薄板本体と、
前記薄板本体の前記一短辺から連続して前記第２直線に沿って延び、前記第１直線回りで、前記一平面に沿って広がる面内姿勢から、前記一平面に直交する起立姿勢まで屈折する第１補助薄板と、
前記第１補助薄板の外側で前記一短辺に交差する第３直線で前記第１補助薄板に連続し、前記第２直線に沿って延び、前記第３直線回りで、前記第１補助薄板を含む平面に沿って広がる面内姿勢から折り重ねられる第２補助薄板と
を備えることを特徴とするしおり。
【請求項３】
書籍と、
一平面内で広がって、当該一平面内で前記書籍の地に沿って延びる第１直線に接する一短辺、および、当該一平面内で当該第１直線に直交して前記書籍ののどに沿って延びる第２直線に接する一長辺を規定する一葉の薄板本体と、
前記薄板本体の前記一短辺から連続して、前記第１直線回りで、前記一平面に直交する起立姿勢に屈折する第１補助薄板と、
前記第１補助薄板の外側で前記一短辺に交差する第３直線で前記第１補助薄板に連続し、前記第３直線回りで、前記第１補助薄板を含む平面に沿って広がる面内姿勢から折り重ねられて前記書籍の背表紙から引き出される第２補助薄板と、
前記第２補助薄板から連続し、前記背表紙から離れた位置で前記第２補助薄板から起立し、外向き面に絵柄を有する画薄板と
を備えることを特徴とする書籍システム。
【請求項４】
請求項３に記載の書籍システムを並べた書棚を備えることを特徴とする広告システム。
【発明の詳細な説明】
【技術分野】
【０００１】
本発明はしおりおよび書籍システム並びに広告システムに関する。
【背景技術】
【０００２】
特許文献１はしおりを開示する。しおりは薄板本体を備える。薄板本体は長方形に形成される。長方形の一短辺に沿って補助薄板が接続される。補助薄板は短辺の延長線に沿って長辺よりも外側に延びる。書棚への収納にあたって、薄板本体は長辺で書籍ののどに当てられ、短辺で中身の地に合わせられる。こうして補助薄板は背表紙から後方に突き出ることができる。
【先行技術文献】
【特許文献】
【０００３】
【特許文献１】特開２０１１−２５４７５号公報
【発明の概要】
【発明が解決しようとする課題】
【０００４】
例えば上製本（ハードカバー）では表紙にチリが形成される。したがって、背表紙と中身の地との間にはのどの近辺で段差が形成される。特許文献１に記載のしおりでは、中身の地に薄板本体の短辺が合わせられると、補助薄板が背表紙の下端を回り込まなければならず、薄板本体と補助薄板との間で亀裂が生じやすかった。
【０００５】
本発明は、上記実状に鑑みてなされたもので、簡単に書籍に対して位置合わせされることができ、亀裂の発生を防止することができるしおりを提供することを目的とする。
【課題を解決するための手段】
【０００６】
本発明の一態様は、一平面内で広がって、当該一平面内で第１直線に接する一短辺、および、当該一平面内で当該第１直線に直交する第２直線に接する一長辺を規定する一葉の薄板本体と、前記薄板本体の前記一短辺に連続し、前記第２直線から外側に向かって前記第１直線に沿って延び、前記第１直線回りで、前記一平面に沿って広がる面内姿勢から、前記一平面に直交する起立姿勢まで屈折する補助薄板とを備え、前記一長辺には前記薄板本体から前記補助薄板を分断する切り込みが形成されるしおりに関する。
【０００７】
こういったしおりによれば、補助薄板が面内姿勢に位置すると、しおり全体は一平面内で広がる。しおりは書籍に挟まれることができる。しおりはしおり固有の機能を発揮する。その一方で、薄板本体が一長辺で書籍ののどに挟まれ一短辺で中身の地に合わせ込まれ、中身の外側で補助薄板が起立姿勢に位置すると、補助薄板は書籍の背表紙の下端で背表紙から後方に突き出ることができる。作業者が補助薄板を手前に引くと、書籍は棚板その他の表面をスライドする。こうして書籍は簡単に引き出されることができる。
【０００８】
例えば上製本（ハードカバー）では書籍の表紙にチリが形成される。閉じられた書籍では、背表紙と中身の地との間にのどの近辺で段差が形成される。しおりによれば、薄板本体の一長辺が書籍ののどに当てられても、切り込みの働きで補助薄板は薄板本体から離れることから、起立姿勢の補助薄板は緩い曲線を描いて背表紙の下端を回り込むことができる。切り込みなしで補助薄板が一長辺付近から湾曲する場合に比べて、補助薄板と薄板本体との境界で応力集中は回避されることができる。こうして薄板本体と補助薄板との間で亀裂の発生は良好に防止されることができる。
【０００９】
本発明の他の態様は、一平面内で広がって、当該一平面内で第１直線に接する一短辺、および、当該一平面内で当該第１直線に直交する第２直線に接する一長辺を規定する一葉の薄板本体と、前記薄板本体の前記一短辺から連続して前記第２直線に沿って延び、前記第１直線回りで、前記一平面に沿って広がる面内姿勢から、前記一平面に直交する起立姿勢まで屈折する第１補助薄板と、前記第１補助薄板の外側で前記一短辺に交差する第３直線で前記第１補助薄板に連続し、前記第２直線に沿って延び、前記第３直線回りで、前記第１補助薄板を含む平面に沿って広がる面内姿勢から折り重ねられる第２補助薄板とを備えるしおりに関する。
【００１０】
こういったしおりによれば、第１補助薄板および第２補助薄板が面内姿勢に位置すると、しおり全体は一平面内で広がる。しおりは書籍に挟まれることができる。しおりはしおり固有の機能を発揮する。その一方で、薄板本体が一長辺で書籍ののどに挟まれ一短辺で中身の地に合わせ込まれると、第１補助薄板および第２補助薄板は地から外側に突き出る。第１補助薄板が薄板本体に対して起立姿勢に位置し、起立姿勢の第１補助薄板に第２補助薄板が折り重ねられると、第２補助薄板は書籍の背表紙の下端で背表紙から後方に突き出ることができる。作業者が第２補助薄板を手前に引くと、書籍は棚板その他の表面をスライドする。こうして書籍は簡単に引き出されることができる。
【００１１】
例えば上製本（ハードカバー）では書籍の表紙にチリが形成される。閉じられた書籍では、背表紙と中身の地との間にのどの近辺で段差が形成される。しおりによれば、薄板本体の一長辺が書籍ののどに当てられても、第２補助薄板の折り重ねの働きで第１補助薄板に対して第２補助薄板の動きは許容されることから、第２補助薄板は緩い曲線を描いて背表紙の下端を回り込むことができる。薄板本体に連続する第１補助薄板が背表紙から引き出される場合に比べて、第１補助薄板と薄板本体との境界や第２補助薄板と第１補助薄板との境界で応力集中は回避されることができる。こうして薄板本体と第１補助薄板との間や第１補助薄板と第２補助薄板との間で亀裂の発生は良好に防止されることができる。
【００１２】
本発明のさらに他の態様は、書籍と、一平面内で広がって、当該一平面内で前記書籍の地に沿って延びる第１直線に接する一短辺、および、当該一平面内で当該第１直線に直交して前記書籍ののどに沿って延びる第２直線に接する一長辺を規定する一葉の薄板本体と、前記薄板本体の前記一短辺から連続して、前記第１直線回りで、前記一平面に直交する起立姿勢に屈折する第１補助薄板と、前記第１補助薄板の外側で前記一短辺に交差する第３直線で前記第１補助薄板に連続し、前記第３直線回りで、前記第１補助薄板を含む平面に沿って広がる面内姿勢から折り重ねられて前記書籍の背表紙から引き出される第２補助薄板と、前記第２補助薄板から連続し、前記背表紙から離れた位置で前記第２補助薄板から起立し、外向き面に絵柄を有する画薄板とを備える書籍システムに関する。
【００１３】
薄板本体、第１補助薄板、第２補助薄板および画薄板は一平面内に収まってしおりを形成することができる。しおりは書籍に挟まれることができ、しおり固有の機能を発揮する。その一方で、第２補助薄板は書籍の背表紙の下端で背表紙から後方に突き出る。第２補助薄板から画薄板は起立する。その結果、外向き面の絵柄は視認されることができる。絵柄は書籍の収納場所に彩を与えることができる。しかも、作業者が例えば画薄板を手前に引くと、書籍は簡単に引き出されることができる。ここでは、絵柄には画像や写真、柄、模様、文字その他の視覚的表現が含まれる。
【００１４】
例えば上製本（ハードカバー）では書籍の表紙にチリが形成される。閉じられた書籍では、背表紙と中身の地との間にのどの近辺で段差が形成される。薄板本体の一長辺が書籍ののどに当てられても、第２補助薄板の折り重ねの働きで第１補助薄板に対して第２補助薄板の動きは許容されることから、第２補助薄板は緩い曲線を描いて背表紙の下端を回り込むことができる。薄板本体に連続する第１補助薄板が背表紙から引き出される場合に比べて、第１補助薄板と薄板本体との境界や第２補助薄板と第１補助薄板との境界で応力集中は回避されることができる。こうして薄板本体と第１補助薄板との間や第１補助薄板と第２補助薄板との間で亀裂の発生は良好に防止されることができる。
【００１５】
本発明の一態様に係る広告システムは、書籍システムを並べた書棚を備える。こうして書棚には絵柄が並べられる。複数の画薄板で１つの絵柄が構成されてもよく、画薄板ごとの絵柄が繰り返し配置されてもよい。書棚で絵柄は広告効果を発揮することができる。
【発明の効果】
【００１６】
以上のように本発明によれば、書籍に対して位置合わせされることができ、亀裂の発生を防止することができるしおりは提供される。
【図面の簡単な説明】
【００１７】
【図１】本発明の第１実施形態に係るしおりの平面図である。
【図２】しおりの側面図である。
【図３】補助薄板の側面図である。
【図４】しおりの斜視図である。
【図５】しおりの動作を概略的に示す書籍の斜視図である。
【図６】書棚の斜視図である。
【図７】しおりの動作を概略的に示す書籍の斜視図である。
【図８】書籍の背表紙としおりとの関係を概略的に示す拡大一部断面図である。
【図９】書籍が閉じられた際にしおりの動きを概略的に示す書籍の拡大部分斜視図である。
【図１０】書棚から書籍が引き出される様子を概略的に示す書棚の側面透視図である。
【図１１】しおりの製造にあたって利用される素材の平面図である。
【図１２】本発明の第２実施形態に係るしおりの平面図である。
【図１３】本発明の第３実施形態に係るしおりの平面図である。
【図１４】本発明の第４実施形態に係るしおりの平面図である。
【図１５】しおりの斜視図である。
【図１６】書籍システムを概略的に示す斜視図である。
【図１７】広告システムを概略的に示す斜視図である。
【発明を実施するための形態】
【００１８】
以下、添付図面を参照しつつ本発明の一実施形態を説明する。
【００１９】
図１は第１実施形態に係るしおりの平面図を示す。しおり１１は１枚の薄板から形成される。しおり１１の素材には紙や樹脂薄板、金属薄板が用いられる。しおり１１は薄板本体１２を備える。薄板本体１２は一平面内で広がる。平面内には相互に平行に延びる第１仮想直線１３および第２仮想直線１４が規定される。薄板本体１２は第１仮想直線１３および第２仮想直線１４の内側で広がる。ここでは、薄板本体１２の輪郭は例えば縦長の長方形に規定される。長方形の一方の長辺（以下「第１長辺」）１５ａは一平面内で第１仮想直線１３に接する。長方形の他方の長辺（以下「第２長辺」）１５ｂは一平面内で第２仮想直線１４に接する。長方形の一方の短辺（以下「第１短辺」）１６は一平面内で第３仮想直線１７に接する。第３仮想直線１７は第１仮想直線１３および第２仮想直線１４に直交する。
【００２０】
薄板本体１２には長方形の第１短辺１６で補助薄板２１が接続される。この補助薄板２１は薄板本体１２に連続する。すなわち、薄板本体１２に一体化される。補助薄板２１は第１仮想直線１３および第２仮想直線１４の間の領域から第１仮想直線１３の外側に向かって第３仮想直線１７に沿って延びる。ここでは、補助薄板２１の輪郭は横長の長方形に規定される。長方形の一方の短辺（以下「第１短辺」）２２は薄板本体１２の第２長辺１５ｂに連続する。すなわち、補助薄板２１の第１短辺２２と薄板本体１２の第２長辺１５ｂとは第２仮想直線１４上に規定される。ただし、補助薄板２１の第１短辺２２と薄板本体１２の第２長辺１５ｂとは必ずしも１直線上に規定される必要はない。補助薄板２１は第３仮想直線１７に直交する方向に所定の幅Ｗを有する。補助薄板２１の幅Ｗは、想定される書籍の厚みよりも小さく設定される。補助薄板２１の長辺の長さＬは薄板本体１２の短辺の長さＳの２倍に設定されることが望まれる。
【００２１】
薄板本体１２の第１短辺１６に沿って第３仮想直線１７上には第１長辺１５ａから切り込み２３が形成される。切り込み２３は薄板本体１２と補助薄板２１とを分断する。切り込み２３には第１長辺１５ａから遠い一端で小径の円形の開口２４が接続される。開口２４は切り込み２３の成長を防止する役割を果たす。
【００２２】
しおり１１の表面で薄板本体１２と補助薄板２１との境界線上すなわち第３仮想直線１７上には第１谷折り線２５が規定される。同時に、しおり１１の表面で補助薄板２１には第１仮想直線１３に平行に補助薄板２１を横切る第２谷折り線２６が規定される。第１谷折り線２５は、例えば図２に示されるように、薄板本体１２の第１短辺１６上に延びる長尺の窪み（例えばＶ字溝）２５ａで形成される。こういった窪み２５ａは例えばしおり１１の素材の押し潰しに基づき形成されればよい。第２谷折り線２６は、図３に示されるように、第１谷折り線２５と同様に長尺の窪み２４ａで形成される。第２谷折り線２６に基づき、補助薄板２１は、第１谷折り線２５および第２谷折り線２６の間に広がる第１板片２１ａと、第１谷折り線２５から遠ざかる方向に第２谷折り線２６から広がる第２板片２１ｂとに区分けされる。
【００２３】
図４に示されるように、補助薄板２１は薄板本体１２に対して第１谷折り線２５で屈折することができる。補助薄板２１は、第３仮想直線１７回りで、薄板本体１２の表面を含む仮想平面内で広がる面内姿勢と、当該仮想平面に直交する起立姿勢との間で姿勢を変化させることができる。同様に、補助薄板２１の第２板片２１ｂは第１板片２１ａに対して第２谷折り線２６で屈折することができる。ここでは、第２板片２１ｂは、第１仮想直線１３の外側で第１仮想直線１３に平行な仮想平面内で延びる第４仮想直線２７回りで、第１板片２１ａの表面を含む仮想平面内で広がる面内姿勢と、当該仮想平面から所定の角度αで起立する起立姿勢との間で姿勢を変化させることができる。第２板片２１ｂの起立姿勢の確立にあたって所定の角度αは例えば任意の鋭角に設定されればよい。
【００２４】
次にしおり１１の動作を簡単に説明する。まず、補助薄板２１は薄板本体１２に対して面内姿勢に設定される。同時に、補助薄板２１の第２板片２１ｂは第１板片２１ａに対して面内姿勢に設定される。すなわち、しおり１１全体は一平面内で広がる。図５に示されるように、しおり１１は書籍３１の一頁の表面に置かれる。このとき、薄板本体１２の第２長辺１５ｂは書籍３１ののど３２に当てられる。したがって、補助薄板２１の長辺の長さＬは書籍３１の横幅よりも短く設定されればよい。書籍３１が閉じられると、しおり１１の機能は実現される。
【００２５】
ここでは、書籍３１は上製本（ハードカバー）に構成される。したがって、書籍３１の表紙３３、３３にはチリ３４が形成される。チリ３４は中身３５の地３６よりも２〜３ｍｍ程度で下に向かって広がる。表側の表紙３３と裏側の表紙３３とは背表紙３７で相互に接続される。その結果、書籍３１が閉じられると、背表紙３７と中身３５の地３６との間にはのど３２の近辺で段差が形成される。
【００２６】
次に書籍３１が書棚に収納される場面を想定する。図６は書棚３９の構造を概略的に示す。書棚３９は例えば箱形の外枠４１を備える。外枠４１は１対の側板４２ａ、４２ｂを備える。側板４２ａ、４２ｂは垂直方向すなわち重力方向に直立する。側板４２ａ、４２ｂ同士は相互に平行に広がる。ここでは、側板４２ａ、４２ｂは例えば床面から直立する。側板４２ａ、４２ｂ同士は、相互に平行に水平方向に広がる上板４３および下板４４で相互に結合される。こうして側板４２ａ、４２ｂ、上板４３および下板４４の間には直方体の収容空間が区画される。収容空間の背面は背板（図示されず）で閉じられればよい。収容空間には例えば１枚以上の棚板４５が例えば取り外し自在に設置される。棚板４５は例えば上板４３および下板４４に平行に広がる。上板４３と棚板４５との間、棚板４５同士の間、および、棚板４５と下板４４との間には書籍３１の収納空間が区画される。個々の収納空間に縦置きの書籍３１が水平方向に１列に並べられる。
【００２７】
図７に示されるように、書籍３１の収納にあたってしおり１１は書籍３１の一頁の表面に置かれる。このとき、薄板本体１２の第１短辺１６は中身３５の地３６（頁の下端）に合わせ込まれる。同時に、薄板本体１２の第１長辺１５ａは書籍３１ののど３２に挟み入れられる。中身３５の地３６とのど３２とは相互に直交することから、挟み入れに応じて薄板本体１２の第１短辺１６は確実に地３６に一致することができる。
【００２８】
図８に示されるように、補助薄板２１は面内姿勢から起立姿勢に折り曲げられる。こういった折り曲げは、書籍３１が閉じられる以前に実施されてもよく、書籍３１が閉じられた後に実施されてもよい。書籍３１が閉じられると、中身３５の地３６と背表紙３７との間に段差が形成される。段差はチリ３４の大きさに相当し例えば２〜３ｍｍ程度の高さを有する。このとき、薄板本体１２の第１長辺１５ａがのど３２に当てられても、切り込み２３の働きで補助薄板２１は薄板本体１２から離れることから、起立姿勢の補助薄板２１は緩い曲線を描いて背表紙３７の下端を回り込むことができる。切り込み２３なしで補助薄板２１が第１長辺１５ａ付近から湾曲する場合に比べて、補助薄板２１と薄板本体１２との境界で応力集中は著しく抑制されることができる。こうして薄板本体１２と補助薄板２１との間で亀裂の発生は良好に防止されることができる。
【００２９】
図９に示されるように、補助薄板２１の広がりは、表側の表紙３３を含む平面、および、裏側の表紙３３を含む平面の間の空間に収まる。補助薄板２１では第２板片２１ｂは第１板片２１ａに対して起立姿勢に設定される。書籍３１は収納空間に押し込まれる。書籍３１は棚板４５または下板４４の表面に沿ってスライドすればよい。こうして書籍３１は書棚３９に収納される。書籍３１では背表紙３７から外側すなわち手前に補助薄板２１は突き出る。補助薄板２１の第２板片２１ｂは棚板４５または下板４４の表面から鋭角で起立する。
【００３０】
次に書籍３１が書棚３９から取り出される場面を想定する。図１０に示されるように、補助薄板２１は作業者の指先で摘まれる。補助薄板２１が手前に引き出されると、書籍３１は簡単に棚板４５または下板４４の表面に沿ってスライドする。背表紙３７が手前に倒れることなく書籍３１は引き出されることができる。したがって、収納空間の高さＨは書籍３１の高さに限りなく近づけられることができる。収納空間の高さＨは最小値に設定されることができる。上側の棚板４５の下面と背表紙３７の上端との間には指先の進入を受け入れる空間さえ要求されない。しかも、補助薄板２１の第２板片２１ｂは棚板４５または下板４４の表面から鋭角で起立することから、作業者は簡単に補助薄板２１を摘むことができる。書籍３１の取り出しは一層簡易化されることができる。
【００３１】
その一方で、書籍３１の背表紙３７の上端に作業者の引く力が作用する場面を想定する。図１０に示されるように、引く力に応じて書籍３１の背表紙３７は背表紙３７の下端回りで手前に倒れる。したがって、収納空間の高さｈは書籍３１の（表紙３３の）対角線の長さに設定されなければならない。上側の棚板４５の下面と書籍３１の上端との間には余分な空間が要求されてしまう。
【表１】
2015100932.tif 000003
表１に示されるように、一般に、書籍３１の大きさは統一化される。こういった統一化は書籍３１の製作にあたって用紙の無駄の回避に寄与する。表１から明らかなように、書籍３１の高さ（縦寸法）で単純に収納空間の高さＨが決定されれば、従来のように対角線の長さで収納空間の高さｈが決定される場合に比べて、書籍の大きさに応じて２．８［ｃｍ］〜６．７［ｃｍ］の縮小が見込まれる。その結果、例えばＢ６判の書籍専用の収納空間であれば、本実施形態に係る収納空間が６段に重ねられると、従来の収納空間が５段に重ねられる場合に比べても書棚３９の高さは低く押さえ込まれることができる。従来に比べて書籍の収納密度は確実に高められることができる。
【００３２】
前述のしおり１１の製造にあたって、例えば図１１に示されるように、１枚の長方形の素材４６が用いられることができる。前述のように、補助薄板２１の長辺の長さＬが薄板本体１２の短辺の長さＳの２倍に設定されれば、２枚のしおり１１は１枚の長方形の素材４６から無駄なく切り出されることができる。長方形の素材４６は切断線４７に沿って切り分けられればよい。ただし、補助薄板２１の長辺の長さＬは薄板本体１２の短辺の長さＳの２倍よりも短く設定されてもよい。長方形の素材４６はいずれかの方向に連続してもよい。長方形の素材４６には裁断と同時に谷折り線２５、２６が刻まれればよい。
【００３３】
補助薄板２１は面内姿勢から起立姿勢に向かって所定の傾斜角で折り癖が付与されることが望まれる。傾斜角は面内姿勢と起立姿勢との間で鋭角を形成すればよい。傾斜角は９０度に設定されることが望まれる。こういった折り癖によれば、前述のように書籍３１の収納にあたって薄板本体１２の第１短辺１６が中身３５の地３６に合わせ込まれると、補助薄板２１は自動的に面内姿勢から起立姿勢に変化する。したがって、書籍３１の収納にあたって補助薄板２１は棚板４５または下板４４の表面に平行に広がることができる。収納空間に対して書籍３１の進入は妨げられない。補助薄板２１の突き出しにも拘わらず書籍３１の収納作業の手間は軽減される。
【００３４】
図１２は第２実施形態に係るしおり１１ｃを示す。このしおり１１ｃでは、薄板本体１２の第２長辺１５ｂは例えば波線や曲線で規定される。こういった第２長辺１５ｂによれば、薄板本体１２すなわちしおり１１ｃに様々な形状が与えられることができる。しおり１１ｃのデザイン性は向上する。その他、薄板本体１２の第２長辺１５ｂには切り欠きその他の模様が刻まれてもよい。その他の構成は前述の第１実施形態と同様である。
【００３５】
図１３は第３実施形態に係るしおり１１ｄを示す。このしおり１１ｄでは、薄板本体１２の第１長辺１５ａには切り欠き４８が刻まれる。ただし、第１長辺１５ａは第１仮想直線１３と第２仮想直線１４との間で規定されることが望まれる。すなわち、第１長辺１５ａは第１仮想直線１３の内側に規定されることが望まれる。しかも、第１長辺１５ａは少なくとも２点で第１仮想直線１３に接することが望まれる。２点間には十分な距離が確保されることが望まれる。こういった第１長辺１５ａによれば、第１長辺１５ａと第１短辺１６との間で直交関係は確実に維持されることができる。前述のように第１長辺１５ａが書籍３１ののど３２に挟み入れられると、挟み入れに応じて第１短辺１６は確実に中身３５の地３６に一致することができる。その他の構成は前述の第１実施形態と同様である。
【００３６】
図１４は第４実施形態に係るしおり１１ｆを示す。しおり１１ｆは１枚の薄板から形成される。しおり１１の素材には紙や樹脂薄板、金属薄板、その他の材質が用いられる。しおり１１ｆは、しおり１１と同様に、薄板本体１２を備える。薄板本体１２には長方形の第１短辺１６で補助薄板５１が接続される。補助薄板５１は薄板本体１２に連続する。補助薄板５１は第１仮想直線１３に沿って延びる。ここでは、補助薄板５１の輪郭は縦長の長方形に規定される。長方形の一方の長辺（以下「第１長辺」）５２は薄板本体１２の第１長辺１５ａに連続する。すなわち、補助薄板５１の第１長辺５２と薄板本体１２の第１長辺１５ａとは第１仮想直線１３上に規定される。ただし、補助薄板５１の第１長辺５２と薄板本体１２の第１長辺１５ａとは必ずしも１直線上に規定される必要はない。補助薄板５１は第３仮想直線１７に平行な方向に所定の幅Ｗを有する。補助薄板５１の幅Ｗは、想定される書籍３１の厚みよりも小さく設定される。
【００３７】
補助薄板５１は第１薄板片（第１補助薄板）５３および第２薄板片（第２補助薄板）５４で構成される。第１薄板片５３は第３仮想直線１７で薄板本体１２に連続する。第２薄板片５４は第４仮想直線５５で第１薄板片５３に連続する。第４仮想直線５５は第１薄板片５３の外側で薄板本体１２の第１短辺１６に交差する。ここでは、第４仮想直線５５は補助薄板５１の縁および第３仮想直線１７に同一点で交差する。第４仮想直線５５と第３仮想直線１７との交差角βは４５度である。しおり１１ｆの表面で薄板本体１２と第１薄板片５３との境界線上すなわち第３仮想直線１７上には谷折り線が規定される。同時に、第１薄板片５３と第２薄板片５４との境界線上すなわち第４仮想直線５５上には山折り線が規定される。谷折り線は第１および第２谷折り線２５、２６と同様に長尺の窪みで形成されればよい。山折り線は裏側に形成される長尺の窪みで特定されればよい。その他、第３仮想直線１７上に山折り線が規定される一方で、第４仮想直線５５上で谷折り線が規定されてもよい。あるいは、第３仮想直線１７上および第４仮想直線５５上にそれぞれ山折り線が規定されてもよく、それぞれ谷折り線が規定されてもよい。
【００３８】
図１５に示されるように、第１薄板片５３は薄板本体１２に対して谷折り線で屈折することができる。第１薄板片５３は、第３仮想直線１７回りで、薄板本体１２の表面を含む仮想平面内で広がる面内姿勢と、当該仮想平面に直交する起立姿勢との間で姿勢を変化させることができる。第２薄板片５４は、第４仮想直線５５回りで、第１薄板片５３を含む平面に沿って広がる面内姿勢から折り返されて第１薄板片５３の裏面に重ねられる（折り重ねられる）ことができる。ここでは、第２薄板片５４は第１薄板片５３の裏面に下方から重ねられるものの、第２薄板片５４は第１薄板片５３の表面に上方から重ねられてもよい。
【００３９】
こういったしおり１１ｆによれば、第１薄板片５３および第２薄板片５４が面内姿勢に位置すると、しおり１１ｆ全体は一平面内で広がる。しおり１１ｆは書籍３１に挟まれることができる。しおり１１ｆはしおり固有の機能を発揮する。その一方で、薄板本体１２が第１長辺１５ａで書籍３１ののど３２に挟まれ第１短辺１６で中身３５の地３６に合わせ込まれると、第１薄板片５３および第２薄板片５４は地３６から外側に突き出る。第１薄板片５３が薄板本体１２に対して起立姿勢に位置し、起立姿勢の第１薄板片５３に第２薄板片５４が折り重ねられると、第２薄板片５４は書籍３１の背表紙３７の下端で背表紙３７から後方に突き出ることができる。作業者が第２薄板片５４を手前に引くと、書籍３１は棚板その他の表面をスライドする。こうして書籍３１は簡単に引き出されることができる。
【００４０】
前述と同様に、例えば上製本（ハードカバー）では書籍３１の表紙３３にチリ３４が形成される。閉じられた書籍３１では、背表紙３７と中身３５の地３６との間にのど３２の近辺で段差が形成される。しおり１１ｆによれば、薄板本体１２の第１長辺１５ａが書籍３１ののど３２に当てられても、第２薄板片５４の折り重ねの働きで第１薄板片５３に対して第２薄板片５４の動きは許容されることから、第２薄板片５４は緩い曲線を描いて背表紙３７の下端を回り込むことができる。薄板本体１２に連続する第１薄板片５３が背表紙３７から引き出される場合に比べて、第１薄板片５３と薄板本体１２との境界や第２薄板片５４と第１薄板片５３との境界で応力集中は回避されることができる。こうして薄板本体１２と第１薄板片５３との間や第１薄板片５３と第２薄板片５４との間で亀裂の発生は良好に防止されることができる。
【００４１】
図１６は本発明の一実施形態に係る書籍システム５６を概略的に示す。書籍システム５６では書籍３１にしおり１１ｇが挟まれる。しおり１１ｇは、しおり１１ｆと同様に、薄板本体１２および補助薄板５１を備える。加えて、しおり１１ｇでは補助薄板５１に画薄板５７が接続される。画薄板５７は、補助薄板５１の第２薄板片５４から連続し、書籍３１の背表紙３７から離れた位置で第２薄板片５４から起立する。画薄板５７の外向き面には絵柄５８が配置される。絵柄５８は画薄板５７の外向き面に印刷されればよい。絵柄５８には画像や写真、柄、模様、文字その他の視覚的表現が含まれることができる。
【００４２】
しおり１１ｇは、一平面内に薄板本体１２、第１薄板片５３、第２薄板片５４および画薄板５７を収めることができる。このとき、しおり１１ｇは書籍３１に挟まれることができ、しおり固有の機能を発揮する。その一方で、第２薄板片５４は書籍３１の背表紙３７の下端で背表紙３７から後方に突き出る。第２薄板片５４から画薄板５７は起立する。その結果、外向き面の絵柄５８は視認されることができる。絵柄５８は書籍３１の収納場所に彩を与えることができる。しかも、作業者が例えば画薄板５７を手前に引くと、書籍３１は簡単に引き出されることができる。その他、しおり１１ｇに代えて、第２薄板片５４および画薄板５７は書籍３１の背表紙３７に一体化されてもよい。
【００４３】
図１７は本発明の一実施形態に係る広告システム５９を概略的に示す。広告システム５９では書棚３９の棚板４５や下板４４上に書籍システム５６が並べられる。書棚３９には絵柄５８が並べられる。複数の画薄板５７で１つの絵柄５８が構成されてもよく、画薄板５７ごとの絵柄５８が繰り返し配置されてもよい。書棚３９で絵柄５８は広告効果を発揮することができる。
【００４４】
なお、薄板本体１２、第１板片２１ａおよび第２板片２１ｂや、薄板本体１２、第１薄板片５３、第２薄板片５４および画薄板５７は、必ずしも１枚の薄板から形成される必要はなく、個々の部材が相互に結合されてもよい。その他、しおり１１、１１ｃ、１１ｄ、１１ｆ、１１ｇの素材は前述のものに限定される必要はなく前述の機能を果たすいかなる素材が利用されてもよい。
【符号の説明】
【００４５】
１１  しおり、１１ｃ  しおり、１１ｄ  しおり、１１ｆ  しおり、１１ｇ  しおり、１２  薄板本体、１３  第２直線（第１仮想直線）、１５ａ  一長辺（第１長辺）、１６  一短辺（第１短辺）、１７  第１直線（第３仮想直線）、２１  補助薄板、２３  切り込み、３１  書籍、３２  のど、３６  地、３７  背表紙、５３  第１補助薄板（第１薄板片）、５４  第２補助薄板（第２薄板片）、５５  第３直線（第４仮想直線）、５６  書籍システム、５７  画薄板、５８  絵柄、５９  広告システム。
【図１】
2015100932.tif 000004
【図２】
2015100932.tif 000005
【図３】
2015100932.tif 000006
【図４】
2015100932.tif 000007
【図５】
2015100932.tif 000008
【図６】
2015100932.tif 000009
【図７】
2015100932.tif 000010
【図８】
2015100932.tif 000011
【図９】
2015100932.tif 000012
【図１０】
2015100932.tif 000013
【図１１】
2015100932.tif 000014
【図１２】
2015100932.tif 000015
【図１３】
2015100932.tif 000016
【図１４】
2015100932.tif 000017
【図１５】
2015100932.tif 000018
【図１６】
2015100932.tif 000019
【図１７】
2015100932.tif 000020